(57)【要約】【課題】計器による受光出力測定を必要とせずに、受光部での受光出力が最大出力となる光軸方向を容易に探すことができる光電式分離型感知器を得る。【解決手段】光軸調整機構部に配設されている発光素子（１１）と、発光素子から投光された光線を受光する受光素子（２１）と、受光素子による受光量の変化によって煙発生の有無を監視するコントローラ（１２）と、表示灯群（１４）とを備え、コントローラは、光軸調整モードにおいて、光軸調整機構部の操作に応じて変化する受光素子による受光量をサンプリングした結果から、受光量が低下、維持、上昇する状態をモニタし、それぞれ区別可能な異なる点灯／点滅パターンにより表示灯群を介して識別表示する。【選択図】図２
2013210761.tif 000002
【特許請求の範囲】
【請求項１】
光軸調整機構部に配設されている発光素子と、
前記発光素子とは分離して対向配置され、前記光軸調整機構部により光軸調整された前記発光素子から投光された光線を受光する受光素子と、
前記受光素子による受光量の変化によって煙発生の有無を監視するコントローラと、
前記コントローラによる制御状態を表示可能な表示灯群と
を備えた光電式分離型感知器であって、
前記コントローラは、調整員による光軸調整機構部の操作に基づいて前記発光素子から投光される光線の軸調整を行う光軸調整モードにおいて、前記光軸調整機構部の操作に応じて変化する前記受光素子による受光量をサンプリングし、サンプリング結果から、前記受光量が所定範囲内に収まっている場合、前記受光量が所定範囲から上昇した場合、前記受光量が所定範囲から低下した場合を、それぞれ区別可能な異なる点灯／点滅パターンにより前記表示灯群を介して識別表示する
ことを特徴とする光電式分離型感知器。
【請求項２】
請求項１に記載の光電式分離型感知器において、
前記コントローラは、調整員による前記光軸調整機構部の操作が行われる前に、前記発光素子からの発光量を変化させ、変化させた前記発光量に対応する前記受光素子による受光量の計測結果に基づいて、光軸調整を開始するために適した所定の初期受光量が得られるように前記発光素子からの発光量を初期設定する
ことを特徴とする光電式分離型感知器。
【請求項３】
請求項１または２に記載の光電式分離型感知器において、
光軸調整完了を知らせるための完了ボタンをさらに備え、
前記コントローラは、調整員により前記完了ボタンが押された場合には、前記光軸調整機構部の操作により光軸調整が完了したと判断し、前記発光素子からの発光量を変化させ、変化させた前記発光量に対応する前記受光素子による受光量の計測結果に基づいて、光軸調整後の監視モードに適した所定の監視受光量が得られるように前記発光素子からの発光量を初期設定する
ことを特徴とする光電式分離型感知器。
【請求項４】
光軸調整機構部に配設されている発光素子と、
前記発光素子とは分離して対向配置され、前記光軸調整機構部により光軸調整された前記発光素子から投光された光線を受光する受光素子と、
前記受光素子による受光量の変化によって煙発生の有無を監視するコントローラと、
前記コントローラによる制御状態を表示可能な表示灯群と
を備えた光電式分離型感知器の光軸調整方法であって、
調整員による光軸調整機構部の操作に基づいて前記発光素子から投光される光線の軸調整を行う光軸調整モードにおいて、コントローラにより実行されるステップとして、
前記光軸調整機構部の操作に応じて変化する前記受光素子による受光量をサンプリングするサンプリングステップと、
サンプリング結果から、前記受光量が所定範囲内に収まっている第１の状態、前記受光量が所定範囲から上昇した第２の状態、前記受光量が所定範囲から低下した第３の状態のいずれであるかを識別する識別ステップと、
前記第１の状態、前記第２の状態、および前記第３の状態を、区別可能な異なる点灯／点滅パターンにより前記表示灯群を介して識別表示する表示ステップと
を備えることを特徴とする光電式分離型感知器の光軸調整方法。
【発明の詳細な説明】
【技術分野】
【０００１】
本発明は、送光部（投光部）と受光部とを分離配置し、送光部から投光された光線によって、煙等の発生による受光量の変化を受光部で検出することで煙監視を行う光電式分離型感知器に関し、特に、光軸調整作業の操作性の改善を図る光電式分離型感知器および光電式分離型感知器の光軸調整方法に関する。
【背景技術】
【０００２】
光電式分離型感知器では、発光ダイオード等の発光素子を備えた送光部から投光された光信号を、フォトダイオード等の受光素子を備えた受光部で検出し、受光量の変化に基づいて、火災であるか否かの判断を行っている。
【０００３】
このような光電式分離型感知器では、送光部と受光部との間の距離に相当する監視距離が、最大で１００ｍ程度となる。そこで、送光部、受光部では、それぞれレンズ等によって集光し、光信号を増幅する必要がある。
【０００４】
さらに、送光部側からの光信号を、受光部側で適切に受光するためには、施工時における光軸調整が必要となり、かつ、火災検出精度にとっては、この光軸調整が非常に重要となる。
【０００５】
施工時の光軸調整の簡素化を図るために、複数の発光素子を組み合わせて送光部を構成した光電式分離型感知器がある（例えば、特許文献１参照）。このように、複数の発光素子で構成されている送光部を備えることで、受光部側における受光量が最大となる送光部の発光素子を１つだけ点灯させ、火災であるか否かの判断を継続することができる。
【０００６】
この結果、消費電流の増加、光量の低下を招くことなく、送光部の指向特性を擬似的に広げることができる。また、指向特性が広げられたことによって、光軸調整の簡易化だけでなく、施工後の光軸ずれに対する許容度を増すことができる。
【先行技術文献】
【特許文献】
【０００７】
【特許文献１】特開２０００−３５６５９３号公報
【発明の概要】
【発明が解決しようとする課題】
【０００８】
しかしながら、従来技術には、以下のような課題がある。
従来の光電式分離型感知器では、精度の高い光軸調整を行う際には、テスタ等の計器を使用して受光部での受光出力が最大出力となる光軸方向を探すことが一般的であった。すなわち、テスタを用いずに光軸調整を行う場合には、粗い調整はできるとしても、最大出力となる光軸方向を探すことができなかった。
【０００９】
光電式分離型感知器は、体育館や工場など、設置環境によっては、例えば、地上１０〜１５ｍのような高所に配置することも考えられる。そして、このような現場での設置環境、あるいは工場内での出荷前調整において、最大出力となる光軸方向を探すためにテスタ等の計器を用いなければならないことは、大きな制約となっていた。
【００１０】
また、光電式分離型感知器が設置された建物は、台風などによる強風、直射日光、周囲の温度変化など、種々の環境変化により、歪むことが考えられる。そして、このような歪みが生じた場合には、わずかな歪みでも、光軸が大きくずれてしまうため、煙監視を行うことができなくなる。従って、光軸の再調整、あるいは定期点検が不可欠であり、テスタ等の計器なしに、最大出力となる光軸方向を容易に探し出せる光電式分離型感知器が望まれていた。
【００１１】
本発明は、前記のような課題を解決するためになされたものであり、計器による受光出力測定を必要とせずに、受光部での受光出力が最大出力となる光軸方向を容易に探すことができる光電式分離型感知器および光電式分離型感知器の光軸調整方法を得ることを目的とする。
【課題を解決するための手段】
【００１２】
本発明に係る光電式分離型感知器は、光軸調整機構部に配設されている発光素子と、発光素子とは分離して対向配置され、光軸調整機構部により光軸調整された発光素子から投光された光線を受光する受光素子と、受光素子による受光量の変化によって煙発生の有無を監視するコントローラと、コントローラによる制御状態を表示可能な表示灯群とを備えた光電式分離型感知器であって、コントローラは、調整員による光軸調整機構部の操作に基づいて発光素子から投光される光線の軸調整を行う光軸調整モードにおいて、光軸調整機構部の操作に応じて変化する受光素子による受光量をサンプリングし、サンプリング結果から、受光量が所定範囲内に収まっている場合、受光量が所定範囲から上昇した場合、受光量が所定範囲から低下した場合を、それぞれ区別可能な異なる点灯／点滅パターンにより表示灯群を介して識別表示するものである。
【００１３】
また、本発明に係る光電式分離型感知器の光軸調整方法は、光軸調整機構部に配設されている発光素子と、発光素子とは分離して対向配置され、光軸調整機構部により光軸調整された発光素子から投光された光線を受光する受光素子と、受光素子による受光量の変化によって煙発生の有無を監視するコントローラと、コントローラによる制御状態を表示可能な表示灯群とを備えた光電式分離型感知器の光軸調整方法であって、調整員による光軸調整機構部の操作に基づいて発光素子から投光される光線の軸調整を行う光軸調整モードにおいて、コントローラにより実行されるステップとして、光軸調整機構部の操作に応じて変化する受光素子による受光量をサンプリングするサンプリングステップと、サンプリング結果から、受光量が所定範囲内に収まっている第１の状態、受光量が所定範囲から上昇した第２の状態、受光量が所定範囲から低下した第３の状態のいずれであるかを識別する識別ステップと、第１の状態、第２の状態、および第３の状態を、区別可能な異なる点灯／点滅パターンにより表示灯群を介して識別表示する表示ステップとを備えるものである。
【発明の効果】
【００１４】
本発明に係る光電式分離型感知器および光電式分離型感知器の光軸調整方法によれば、調整員による光軸調整機構部の操作と連動して、受光出力が低下、維持、上昇する各状態を送光部コントローラによりモニタして識別表示させることにより、計器による受光出力測定を行うことなく、受光部での受光出力が最大出力となる光軸方向を容易に探すことができる光電式分離型感知器および光電式分離型感知器の光軸調整方法を得ることができる。
【図面の簡単な説明】
【００１５】
【図１】本発明の実施の形態１における光電式分離型感知器を示す構成図である。
【図２】本発明の実施の形態１における光電式分離型感知器の送光部および受光部の電気回路関連の内部構成を示すブロック図である。
【図３】本発明の実施の形態１の光電式分離型感知器における一連の光軸調整手順を示したフローチャートである。
【図４】本発明の実施の形態１における送光部コントローラによるピーク検出処理を示すフローチャートである。
【図５】本発明の実施の形態１におけるピーク検出処理の説明図である。
【図６】本発明の実施の形態２におけるピーク検出処理の説明図である。
【図７】本発明の実施の形態３におけるピーク検出処理の説明図である。
【発明を実施するための形態】
【００１６】
以下、本発明の光電式分離型感知器および光電式分離型感知器の光軸調整方法の好適な実施の形態につき図面を用いて説明する。
【００１７】
実施の形態１．
図１は、本発明の実施の形態１における光電式分離型感知器を示す構成図である。光電式分離型感知器は、送光部１０と受光部２０とによって構成されている。ここで、送光部１０と受光部２０との間の距離（監視距離）は、例えば、５ｍ〜１００ｍ程度である。送光部１０から投光された光線（光信号）を受光部２０で受光し、その受光量の変化から煙発生の有無を検出している。また、煙を検出したい領域が広域にわたる場合には、このような送光部１０と受光部２０とのペアを、間隔を開けて複数設置することがある。
【００１８】
なお、受光部２０側による受光出力は、電気信号として送光部側に配線（同期線）を介してフィードバックされており、送光部１０は、自身が投光した光信号が、受光部２０でどの位の強度として受光されているかを知ることができる構成となっている。
【００１９】
また、詳細は、省略するが、送光部１０は、図示しない光学台の内部に配置された発光素子の水平方向の光軸調整を行う水平方向光軸調整機構部と、光学台を垂直方向に微調整可能とすることで発光素子の垂直方向の光軸調整を行う垂直方向光軸調整機構部を備えている。そして、光軸調整を行う調整員は、送光部１０に設けられたこれらの光軸調整機構部を微調させながら、送光部１０からの投光方向の光軸調整を行うこととなる。なお、送光部１０と同様の光軸調整機構部は、受光部２０も備えている。
【００２０】
図２は、本発明の実施の形態１における光電式分離型感知器の送光部１０および受光部２０の電気回路関連の内部構成を示すブロック図である。送光部１０は、発光素子１１、送光部コントローラ１２、信号入力部１３、表示灯群１４、スイッチ群１５、および発光量設定部１６を備えて構成されている。一方、受光部２０は、受光素子２１、受光部コントローラ２２、信号出力部２３、表示灯群２４、およびスイッチ群２５を備えて構成されている。
【００２１】
送光部１０内の送光部コントローラ１２は、発光素子１１を制御し、発光素子１１から発光される光信号の発光パターン（光信号のオン／オフ、発光強度等）を制御する。また、送光部コントローラ１２は、受光部２０側の信号出力部２３から出力される電気信号を、信号入力部１３を介して読み取ることで、発光パターンに応じた受光部２０側の受光出力をモニタできるようになっている。
【００２２】
また、送光部１０の表示灯群１４は、発光素子１１の発光タイミングや、試験中であることをアナウンスする、あるいは光軸調整時の状態を調整員にアナウンスするための表示手段であり、スイッチ群１５は、通常運転時の設定値の切り換え、あるいは光軸調整時における調整員による入力を行う手段である。送光部コントローラ１２は、スイッチ群１５からの入力信号、および調整員が光軸調整機構部を操作したことに基づく受光素子２１の受光出力の変化に応じて、表示灯群１４を通じて、調整員に対して光軸調整時の状態を知らせることができる。
【００２３】
なお、光軸調整時に用いる表示灯群１４およびスイッチ群１５は、送光部１０に標準に付属しているものを流用することも可能である。例えば、送光部１０は、光軸調整時に用いるスイッチ群１５に関しては、既存のスイッチを押す時間や押す回数に応じて、あらかじめ決められたルールに従って所望の指令信号として読み取ることができる。
【００２４】
また、送光部１０は、光軸調整時に用いる表示灯群１４に関しては、通常運転時や異常発生時を知らせるために既存に設けられている緑や赤のＬＥＤを流用し、あらかじめ決められたルールに従って点灯、点滅パターンを工夫することで、調整員に対して光軸調整時の状態を知らせることができる。
【００２５】
一方、受光部２０内の受光部コントローラ２２は、受光素子２１の受光出力に基づいて信号解析を行い、火災判断を行う。また、受光部コントローラ２２は、受光素子２１の受光出力を、信号出力部２３を介して送光部１０側にフィードバックしている。さらに、受光部コントローラ２２は、信号出力部２３を介して、図示しない火災受信機へ火災信号および故障信号等を送出する。
【００２６】
また、表示灯群２４は、通常運転時の状態（火災・異常）等をアナウンスするための表示手段であり、スイッチ群２５は、送光部１０と受光部２０間の距離設定等の光軸調整時における調整員による入力を行う手段である。
【００２７】
なお、送光部１０に設けられる表示灯群１４と同様の機能を、受光部２０の表示灯群２４に設けてもよく、さらに、送光部１０のスイッチ群１５と同様のスイッチ群を、受光部２０に設けてもよい。
【００２８】
そこで、図１、図２のような送光部１０および受光部２０の構成を備えた光電式分離型感知器において、設置時における光軸調整手順について、説明する。設置環境における従来の光軸調整は、一般的には、以下のような手順で行われている。
（手順１）送光部１０または受光部２０に設けられた図示しない視準孔を用いて、送光部１０および受光部２０の粗調整を実施。
（手順２）送光部１０側で、投光した光信号に対応する受光部２０側による受光出力をフィードバックとして読み取り、テスタにより測定。
【００２９】
（手順３）テスタによる測定値を見ながら光軸調整機構部を微調することで、送光部１０からの投光方向の微調整を行い、受光部２０側による受光出力が最大（ピーク）となる位置を検出。
（手順４）光軸調整が完了した状態で、最終的に、送光部１０から投光する光信号の大きさを規定する発光量、および受光部２０の受光出力の大きさを規定する増幅率を設定し、一連の設置作業を完了する。
【００３０】
送光部１０は、例えば、発光量として０〜９の１０段階の設定が可能であり、調整員は、スイッチ群１５を介して、適正な発光量を特定できる。また、受光部２０は、例えば、増幅率として、遠中近の３段階の設定が可能であり、調整員は、スイッチ群２５を介して、適正な受光出力を特定できる。
【００３１】
ここで、本実施の形態１は、テスタ等の計器を用いることなく、本体を操作することで、受光部２０での受光出力が最大出力となる光軸方向を容易に探すことができる機能を有することを技術的特徴としている。より具体的には、上述した手順２、３を、送光部１０本体を操作することで実現しており、以下に図面を用いて詳細に説明する。
【００３２】
図３は、本発明の実施の形態１の光電式分離型感知器における一連の光軸調整手順を示したフローチャートである。なお、この図３におけるフローチャートの説明においては、以下の内容を前提とする。
【００３３】
（送光部１０の前提）
（１）光軸調整時に用いる表示灯群１４として、通常運転時に使用する緑色に発光するＬＥＤ（以下、緑ＬＥＤと言う）および赤色に発光するＬＥＤ（以下、赤ＬＥＤと言う）を流用する。
（２）光軸調整時に用いるスイッチ群１５として、「調整ボタン」を有している。
（３）送光部コントローラ１２に制御される発光量設定部１６によって、発光量は、例えば、０〜９の１０段階で、自動で設定され、０段階目が最も小さい発光量に相当し、９段階目が最も大きい発光量に相当する。
【００３４】
（受光部２０の前提）
（１）光軸調整時に用いるスイッチ群２５として、「距離設定ボタン」を有している。
（２）増幅率としては、遠中近の３段階を有し、「遠」設定時が最も高い増幅率に相当し、「近」設定時が最も低い増幅率に相当する。
【００３５】
また、以下の説明で用いる緑ＬＥＤおよび赤ＬＥＤの点灯／点滅パターンは、あくまでも一例に過ぎず、ＬＥＤの色の種類を増やしてもよく、また、識別が可能な種々のパターンを持たせてもよい。
【００３６】
まず始めに、調整員は、ステップＳ３１０において、従来の手順１と同様にして、視準孔を用いて、送光部１０および受光部２０の光軸の粗調整を実施する。次に、ステップＳ３２０において、調整員によってスイッチ群１５の「調整ボタン」が押されたことにより、送光部コントローラ１２は、運転モードを通常運転モードから光軸調整モードに変更する。さらに、送光部コントローラ１２は、光軸調整モードに切り替わったことを調整員に知らせるために、表示灯群１４である緑ＬＥＤおよび赤ＬＥＤを同時に点滅させる。
【００３７】
次に、ステップＳ３３０において、送光部コントローラ１２は、発光量設定部１６を制御して、発光量が最大の段階「９」を設定して投光し、その際に、受光部２０からフィードバックされる受光出力の大きさをチェックする。そして、送光部コントローラ１２は、受光出力が第１の閾値（例えば、２．６Ｖ）以上出ているか否かを確認し、出ていればステップＳ３４０に進み、出ていなければステップＳ３７０に進む。
【００３８】
なお、受光出力が第１の閾値以上出ていなければ、発光量は「９」のまま光軸調整が行われるので、受光出力は飽和することになり、後述するステップＳ３７０で、ケース２（ステップＳ３７４）に該当することになる。この場合、光軸の粗調整が粗すぎた場合、もしくは距離設定が間違っている可能性があるので、調整員は、再度そのことを確認する。
【００３９】
ここで、送光部コントローラ１２は、受光出力が第１の閾値（例えば、２．６Ｖ）以上出ており、ステップＳ３４０に進む場合には、その旨を調整員に知らせるために、例えば、赤ＬＥＤを１回点滅させる。
【００４０】
そして、ステップＳ３４０に進んだ場合には、送光部コントローラ１２は、発光量設定部１６を制御して、発光量が最小の段階「０」を設定して投光し、その際に、受光部２０からフィードバックされる受光出力の大きさをチェックする。そして、送光部コントローラ１２は、受光出力が第２の閾値（例えば、２．０Ｖ）以下に収まるか否かを確認し、収まっていなければステップＳ３５０に進み、収まっていればステップＳ３６０に進む。
【００４１】
ここで、送光部コントローラ１２は、受光出力が第２の閾値（例えば、２．０Ｖ）以下に収まっており、ステップＳ３６０に進む場合には、そのことを調整員に知らせるために、例えば、０．５秒間隔で赤ＬＥＤおよび緑ＬＥＤを４回同時点滅させる。
【００４２】
ステップＳ３５０に進んだ場合には、受光部２０の増幅率が高すぎる（すなわち、遠中近で設定する監視距離の設定が長すぎる）ことが原因で受光出力が第２の閾値（例えば、２．０Ｖ）以下に収まっていない可能性がある。そこで、調整員は、受光部２０の増幅率を下げるために、受光部２０側で「距離設定ボタン」を操作することで、設定距離を「中」または「近」に下げる。
【００４３】
なお、調整員は、赤ＬＥＤが１回点滅した状態から、０．５秒間隔で赤ＬＥＤおよび緑ＬＥＤが４回同時点滅する状態に移行しないことで、ステップＳ３５０に進んだことを判断できる。
【００４４】
送光部コントローラ１２は、受光部２０側で「距離設定ボタン」が操作されたことを、受光部２０からのフィードバック情報として読み取ることで、ステップＳ３５０による設定距離の見直しの後、ステップＳ３３０に戻り、新たな距離設定において、受光出力チェックを繰り返すことができる。あるいは、送光部コントローラ１２は、「調整ボタン」が押し直されることによっても、ステップＳ３３０に戻り、新たな距離設定において、受光出力チェックを繰り返すことができる。
【００４５】
一方、先のステップＳ３４０において、受光出力が第２の閾値（例えば、２．０Ｖ）以下に収まっていることからステップＳ３６０に進んだ場合には、送光部コントローラ１２は、発光量設定部１６を制御して、発光量の段階を「０」から徐々に上げていき、受光出力として第３の閾値（例えば、０．８Ｖ）以上が得られる最小の発光量（初期受光量）を自動で決定する。
【００４６】
さらに、送光部コントローラ１２は、決定した発光量に対応する受光出力を基準値と定める。ここで、送光部コントローラ１２は、最小の発光量および基準値を決定したことを調整員に知らせるために、例えば、赤ＬＥＤを１回点滅させる。以上のように、ステップＳ３６０までの一連の処理により、初期設定が完了することとなる。
【００４７】
次に、ステップＳ３３０あるいはステップＳ３６０から、ステップＳ３７０に移行してきた場合には、送光部コントローラ１２は、調整員による光軸調整機構部の操作と連動して、受光出力のピーク検出処理を行う。より具体的は、送光部コントローラ１２は、調整員が光軸調整機構部を操作したことに基づく受光素子２１の受光出力をモニタし、受光出力の変化状態を、表示灯群１４を通じて調整員にアナウンスすることで、調整員が受光出力のピークが得られるような光軸調整を行うことをサポートしている。
【００４８】
そこで、ステップＳ３７０におけるピーク検出処理の具体的な一連処理を、次に説明する。図４は、本発明の実施の形態１における送光部コントローラ１２によるピーク検出処理を示すフローチャートである。
【００４９】
まず始めに、送光部コントローラ１２は、現在の基準値に対してある一定の幅を持たせた基準範囲を設定しておく。そして、ステップＳ３７１において、送光部コントローラ１２は、調整員による光軸調整機構部の操作に伴う受光出力の変化量を、一定周期（例えば、０．５秒）で受光出力をサンプリングすることで、モニタする。
【００５０】
次に、ステップＳ３７２において、送光部コントローラ１２は、サンプリング値の大きさおよび変化から、受光出力の変化が次の４ケースのいずれであるかを判断する。
（ケース１）受光出力が低下した場合の処理
（ケース２）受光出力が飽和した場合の処理
（ケース３）受光出力が基準値の範囲内の場合の処理
（ケース４）受光出力が上昇した場合の処理
【００５１】
（ケース１）光軸調整を行った結果、受光出力が基準範囲以下になったと判断した場合
送光部コントローラ１２は、受光出力をサンプリングし、受光出力が基準範囲以下となったことを検知した場合（ケース１−１）には、ステップＳ３７３において、例えば、１秒間隔で赤ＬＥＤを２回点滅させることで、調整員へのアナウンスを行う。
【００５２】
さらに、送光部コントローラ１２は、基準範囲の下限値から、さらに所定量以上、受光出力が低下した場合には、受光出力が基準範囲から大きく下回ったと判断（ケース１−２）し、１秒間隔で赤ＬＥＤを４回点滅させることで、調整員へのアナウンスを行う。
【００５３】
そして、ケース１−１あるいはケース１−２と判断した後、送光部コントローラ１２は、調整員が「調整ボタン」を押したと判断した場合（ステップＳ３７７）には、ステップＳ３７８において、ステップＳ３３０への移行フラグをセットして一連の処理を終了することで、先の図３におけるステップＳ３３０から同様の処理を行う。
【００５４】
具体的には、先の図３におけるステップＳ３８０において、ステップＳ３７０の一連処理によりステップＳ３３０への移行フラグがＯＮ状態（セット状態）であるか否が判断される。そして、ＯＮ状態の場合には、送光部コントローラ１２は、この移行フラグをリセットするとともに、処理をステップＳ３３０に移行する。
【００５５】
そして、送光部コントローラ１２は、発光量の段階を最大の「９」にして、受光出力が第１の閾値以上出ているかを確認（ステップＳ３３０）し、その後、発光量の段階を最小の「０」にして、受光出力が第２の閾値以下に収まるかを確認（ステップＳ３４０）する。そして、発光量の段階を「０」から徐々に上げていき、受光出力として第３の閾値（例えば、０．８Ｖ）以上が得られる最小の発光量を自動で決定する。
【００５６】
さらに、送光部コントローラ１２は、決定した発光量に対応する受光出力を基準値と定める（ステップＳ３６０）。その後、図３におけるステップＳ３７０に進み、図４におけるステップＳ３７１以降の処理に戻る。
【００５７】
また、調整員により「調整ボタン」が押されていない場合（ステップＳ３７７）には、ステップＳ３７１に戻り、調整員による光軸調整機構部の操作に伴う受光出力の変化量のモニタを継続することとなる。
【００５８】
このケース１のように、受光出力が基準範囲以下となる場合は、調整員による光軸調整が誤った方向（光軸がずれる方向）に行われていることを意味する。そこで、送光部コントローラ１２は、上述したように、赤ＬＥＤを点滅させ、さらに、大きく外れた場合には点滅回数を増やすことで、調整員に注意を与えている。そして、調整員は、後述するケース３および４に当てはまるように、光学台を反対方向に回動させる。
【００５９】
（ケース２）光軸調整を行った結果、受光出力が飽和したと判断した場合
送光部コントローラ１２は、受光出力をサンプリングし、受光出力が所定の飽和電圧値（例えば、３．５Ｖ）に達したと判断した場合には、ステップＳ３７４において、例えば、０．５秒間隔で赤ＬＥＤおよび緑ＬＥＤを２回同時点滅させることで、調整員へのアナウンスを行う。
【００６０】
さらに、送光部コントローラ１２は、調整員が「調整ボタン」を押したと判断した場合（ステップＳ３７７）には、ケース１と同様に、先の図３におけるステップＳ３３０から順に処理を行う。すなわち、ステップＳ３３０，ステップＳ３４０と処理をして、送光部コントローラ１２は、発光量の段階を「０」から徐々に上げていき、受光出力として第３の閾値（例えば、０．８Ｖ）以上が得られる最小の発光量を自動で決定（ステップＳ３６０）する。さらに、送光部コントローラ１２は、決定した発光量に対応する受光出力を基準値と定める。その後、ステップＳ３７１以降の処理に戻る。
【００６１】
また、調整員により「調整ボタン」が押されていない場合（ステップＳ３７７）には、ステップＳ３７１に戻り、調整員による光軸調整機構部の操作に伴う受光出力の変化量のモニタを継続することとなる。
【００６２】
このケース２のように、受光出力が飽和状態となる場合は、先のステップＳ３１０における粗調整が粗すぎて、ステップ３６０における最小発光量の決定が大きい発光量（例えば、発光量の段階「９」設定）で決定されてしまった場合か、距離設定が長すぎた（例えば、「遠」設定）場合が考えられる。そこで、送光部コントローラ１２は、上述したように、赤ＬＥＤと緑ＬＥＤを同時点滅させることで、飽和状態を回避して初期設定をやり直すことを、調整員に知らせることができる。そして、調整員は、再度、粗調整または距離設定を確認し、その後、調整ボタンを押す（ステップＳ３７７）ことで、光軸調整を続行することができる。
【００６３】
（ケース３）光軸調整を行った結果、受光出力が基準範囲内に収まっていると判断した場合
送光部コントローラ１２は、受光出力をサンプリングし、受光出力が基準範囲内に収まっていると判断した場合には、ステップＳ３７５において、緑ＬＥＤを１回点滅させることで、調整員へのアナウンスを行う。
【００６４】
さらに、送光部コントローラ１２は、調整員が「調整ボタン」を押したと判断した場合（ステップＳ３７９）には、ピーク検出処理が完了したと判断し、先の図３のステップＳ３８０以降の処理に移行する。なお、ここで押す調整ボタンは、光軸調整が完了したことを送光部コントローラ１２に知らせる完了ボタンの役割を担っている。
【００６５】
また、調整員により「調整ボタン」が押されていない場合（ステップＳ３７９）には、ステップＳ３７１に戻り、調整員による光軸調整機構部の操作に伴う受光出力の変化量のモニタを継続することとなる。
【００６６】
このケース３のように、受光出力が基準範囲内に収まっている場合は、調整員による光軸調整が正しい方向（光軸がずれない方向）に行われ、ピーク近傍に調整されていることを意味する。そこで、送光部コントローラ１２は、上述したように、緑ＬＥＤを点滅させることで、適切な光軸調整が行われていることを、調整員に知らせることができる。
【００６７】
（ケース４）光軸調整を行った結果、受光出力が基準範囲以上に上昇したと判断した場合
送光部コントローラ１２は、受光出力をサンプリングし、受光出力が基準範囲を上回ったことを検知した場合には、ステップＳ３７６において、１秒周期で緑ＬＥＤを２回点滅させることで、調整員へのアナウンスを行う。
【００６８】
さらに、送光部コントローラ１２は、基準範囲を上回るサンプリング結果が３回得られた場合には、例えば、その３回のサンプリング結果の中央値を新たな基準値として更新し、基準範囲を再設定する。そして、送光部コントローラ１２は、１秒周期で緑ＬＥＤを４回点滅させることで、基準値を更新したことを、調整員へアナウンスする。
【００６９】
そして、基準値を更新した後、送光部コントローラ１２は、調整員が「調整ボタン」を押したと判断した場合（ステップＳ３７９）には、ピーク検出処理が完了したと判断し、先の図３のステップＳ３８０以降の処理に移行する。なお、ここで押す調整ボタンは、光軸調整が完了したことを送光部コントローラ１２に知らせる完了ボタンの役割を担っている。
【００７０】
また、調整員により「調整ボタン」が押されていない場合（ステップＳ３７９）には、ステップＳ３７１に戻り、調整員による光軸調整機構部の操作に伴う受光出力の変化量のモニタを継続することとなる。
【００７１】
このケース４のように、受光出力が基準範囲以上に上昇した場合は、調整員による光軸調整が正しい方向（光軸がずれない方向）に行われていることを意味する。そこで、送光部コントローラ１２は、上述したように、緑ＬＥＤを複数回点滅させることで、適切な方向に光軸調整が行われていること、および基準値を更新したことを、調整員に知らせることができる。
【００７２】
すなわち、本実施の形態１に係る光電式分離型感知器における光軸調整は、先ず、受光出力が上昇し、緑ＬＥＤが点滅する（ケース４）方向に光学台を回動させる。受光出力が上昇する場合、受光出力の基準値が更新されていく。次に、光学台を回動させ続けると、受光出力が最大（ピーク）を越えて低下し、赤ＬＥＤが点滅する（ケース１）。このとき、基準値は受光出力の最大（ピーク）の値になっているので、赤ＬＥＤが点滅（ケース１）したら、光学台の回動を止める。
【００７３】
最後に、どちらに光学台光軸を回動させても受光出力が低下して、赤ＬＥＤが点滅（ケース１）する場合、受光出力が最大（ピーク）の状態であり、かつ受光出力の基準値も最大（ピーク）にあり、送光部１０と受光部２０の光軸が合っている状態となる。そこで調整ボタンを押すと、光軸調整が終了する。
【００７４】
図３に戻って、ステップＳ３８０において、ステップＳ３７０の一連処理によりステップＳ３３０への移行フラグがセットされていない場合には、ステップＳ３９０に進む。そして、ステップＳ３９０において、送光部コントローラ１２は、光軸調整が完了した後の状態で、発光量の段階を「０」から徐々に上げていき、受光出力として監視出力値（例えば、２．０Ｖ）以上が得られる最小の発光量を自動で決定する。
【００７５】
さらに、受光部コントローラ２２は、決定した発光量に対応する受光出力を基準値と定める。これにより、光軸調整が完了した後に、実際の監視に適した初期設定を行うことができる。なお、ステップ３９０で、送光部コントローラ１２が決定する発光量は、最小でなくてもよく、受光出力が飽和しない程度でよい。
【００７６】
ステップ３６０で発光量を最小の出力にしていたのは、ステップ３７０のピークの検出処理を、受光出力を飽和させずに確実に行うためであり、ステップ３９０で発光量を最小の出力にしないのは、火災監視時には減光率を見るため、受光出力は飽和しない程度に大きい方がよいからである。
【００７７】
図５は、本発明の実施の形態１におけるピーク検出処理の説明図である。具体的には、受光出力が低下した場合の処理（図４におけるステップＳ３７３の処理）、および受光出力が上昇した場合の処理（図４におけるステップＳ３７６の処理）を、図的に表したものである。
【００７８】
図５は、横軸が光学台の角度、縦軸が受光出力を表しており、角度θのとき、受光出力Ｖｍａｘ（ピーク）となることが表されている。光学台のある角度θにおいて、受光出力が最大値Ｖｍａｘとなるとすれば、光学台を角度θからどちらの方向に回動させても受光出力は低下する。調整員は、表示灯群１４のＬＥＤ表示を参照して、受光出力が上昇する方向に光軸調整を行っていくことで、容易にピーク検出を行うことができる。
【００７９】
より具体的には、調整員は、赤ＬＥＤが点滅した場合には、受光出力が低下し、光軸がずれる方向に移動させてしまったと判断でき、緑ＬＥＤが点滅した場合には、受光出力が増加し、光軸が適切な方向に移動できていると判断できる。この結果、調整員は、赤ＬＥＤの点滅状態を回避し、緑ＬＥＤの点滅状態となる方向に光軸調整を行うことで、容易にピーク検出を行うことができる。
【００８０】
なお、図３あるいは図４には、図示していないが、送光部コントローラ１２は、「調整ボタン」が長押しされたことを検知した場合には、調整モードを強制終了させることができる。
【００８１】
以上のように、実施の形態１によれば、調整員による光軸調整機構部の操作と連動して、受光出力が低下、維持、上昇する各状態を送光部コントローラによりモニタして識別表示させることで、調整員は、ＬＥＤの表示状態を参照しながら、テスタ等の計器を用いることなく、受光出力がピークとなる位置に合わせるように光軸調整を行うことができる。これにより、光軸調整作業の効率改善を実現できる。
【００８２】
なお、本実施の形態１では、調整員により光軸調整機構部の操作を手動で行い、光軸調整を行う場合について説明した。しかしながら、本発明は、このような手動操作による光軸調整に限定されるものではない。光軸調整機構部を電動化した場合に対しても、本発明のピーク検出処理を適用することができる。
【００８３】
また、本実施の形態１で、送光部１０のＬＥＤの表示状態を見ながら送光部１０の光軸を調整したのは、送光部１０の発光素子１１が、受光部２０の受光素子２１よりも指向性が鋭いためである。つまり、受光部２０は、ある程度光軸が傾いていても受光素子２１は受光できるのに対し、送光部１０は、少し傾くだけで発光素子１１の発光が受光部２０へ届かなくなるため、送光部１０に、送光部コントローラ１２の制御状態や受光出力および受光出力の増減によって表示状態が変わる表示灯群１４を備えている。
【００８４】
もちろん、受光部２０のＬＥＤの表示状態を見ながら受光部２０の光軸を調整できるようにしてもよい。その場合は、本実施の形態１の送光部１０の構成を受光部２０に設ければよい。
【００８５】
さらに、本発明によるピーク検出処理と、光軸調整機構部の電動化処理を組み合わせることで、光軸調整を全自動化することも可能である。
【００８６】
実施の形態２．
先の実施の形態１では、赤ＬＥＤの点滅状態を回避し、緑ＬＥＤの点滅状態となる方向に光軸調整を行う（すなわち、光軸が合う方向に追い込んでいくように光軸調整を行う）ことで、ピーク検出を行う場合について説明した。そこで、本実施の形態２では、このようなピーク検出の他の具体的な手順について説明する。
【００８７】
まず始めに、本実施の形態２において、送光部コントローラ１２によって識別表示されるＬＥＤ発光パターンについて説明する。本実施の形態２では、調整モード時において、Ｐ１〜Ｐ６の６つの発光パターンを規定している。そして、送光部コントローラ１２は、調整員が光軸調整機構部を操作したことに基づく受光素子２１の受光出力の状態をモニタし、そのモニタ結果に応じて、Ｐ１〜Ｐ６のＬＥＤ表示を行っている。
【００８８】
まず、第１パターンＰ１は、調整員が「調整ボタン」を押したことにより、調整モードに移行したことを知らせるためのものである。送光部コントローラ１２は、「調整ボタン」が押されたことで調整モードに移行すると判断した際には、緑ＬＥＤおよび赤ＬＥＤを２秒間、同時点灯させる。
【００８９】
第２パターンＰ２は、受光出力が適正範囲外になっている状態を知らせるためのものである。送光部コントローラ１２は、受光出力が、煙検出のために適正な範囲としてあらかじめ定められた範囲（適正範囲）にない場合には、緑ＬＥＤおよび赤ＬＥＤを交互に点滅させる。
【００９０】
第３パターンＰ３は、受光出力が飽和したことを知らせるためのものである。送光部コントローラ１２は、受光出力が、飽和出力レベルに達した場合には、緑ＬＥＤおよび赤ＬＥＤを同時に点滅させる。さらに、送光部コントローラ１２は、飽和を検出した状態で、「調整ボタン」が押されたと判断した場合には、発光量を下げることで、例えば、現状の発光量の半分とするように発光量を調整する。
【００９１】
第４パターンＰ４は、受光出力が適正範囲内に入っている状態を知らせるためのものである。送光部コントローラ１２は、受光出力が、煙検出のために適正な範囲としてあらかじめ定められた範囲（適正範囲）に入っている場合には、緑ＬＥＤを点滅させる。さらに、送光部コントローラ１２は、受光出力が適正範囲内にあるこの状態で、「調整ボタン」が押されたと判断した場合には、一連の調整モードを終了する。
【００９２】
第５パターンＰ５は、受光出力が基準値以下になっている状態を知らせるためのものである。送光部コントローラ１２は、調整員による光軸調整機構部の操作の結果として、受光出力が基準値以下となった場合には、赤ＬＥＤを点滅させる。
【００９３】
第６パターンＰ６は、調整モードに移行した後、一定時間が経過しても、受光出力が適正範囲内に収まらず、ピーク検出が完了しない状態を知らせるためのものである。送光部コントローラ１２は、この状態を検知した場合には、第５パターンよりも早い周期で赤ＬＥＤを点滅させる。
【００９４】
次に、図６は、本発明の実施の形態２におけるピーク検出処理の説明図である。図６は、横軸が光学台の角度、縦軸が受光出力を表しており、角度θのとき、受光出力Ｖｍａｘ（ピーク）となることが表されている。光学台のある角度θにおいて、受光出力が最大値Ｖｍａｘとなるとすれば、最大値Ｖｍａｘより低いある受光出力（調整基準値）になる角度は２点あり、その間には必ず受光出力が最大値Ｖｍａｘとなる角度θがあることになる。この図６、および上述した６種の点灯／点滅パターンに基づいて、本実施の形態２における調整手順を以下に説明する。
【００９５】
（手順１）視準孔を用いて、送光部１０および受光部２０の粗調整を実施する（図３におけるステップＳ３１０に相当）。
（手順２）調整員は、「調整ボタン」を押す。これにより、送光部コントローラ１２は、光軸調整モードに切り換え、第１パターンＰ１の点灯を行う（図３におけるステップＳ３２０に相当）。
【００９６】
（手順３）送光部１０側の発光量および受光部２０側の増幅率の初期設定を実施する（図３におけるステップＳ３３０、Ｓ３４０、Ｓ３５０、Ｓ３６０に相当）。
（手順４）調整員は、赤ＬＥＤのみが点滅する第５パターンＰ５の方向（すなわち、受光出力が図６における調整基準値（２Ｖ）を下回る方向）に、光軸調整を実施する。なお、調整基準値は、受光出力Ｖｍａｘより低い受光出力であり、かつ調整基準値が受光出力となる２点間の光学台の向きが、大きな角度となりすぎない程度に高めの受光出力にする必要があり、例えば２Ｖに設定されている。
【００９７】
（手順５）調整員は、第５パターンＰ５が発生した状態を赤ＬＥＤの点滅により確認した後、今とは逆の方向（逆転方向）に光軸調整を行う。このとき、送光部コントローラ１２は、受光部２０から送られてくる受光出力の最大値を記憶している。そして、赤ＬＥＤのみが点滅する状態になるまで、逆転方向への光軸調整を継続する。この操作により、調整員は、ピーク値を挟んで、手順４で見つけた位置とは逆側で、受光出力が図６における自動調整ライン（２Ｖ）を下回る位置を検出する。
【００９８】
（手順６）手順５による逆回転操作中に、受光出力が飽和し、第３パターンＰ３の点滅状態になった場合には、調整員は、「調整ボタン」を押す。これにより、送光部１０側の発光量および受光部２０側の増幅率の初期設定を再度実施し、飽和状態でない受光出力が得られる状態とする。
【００９９】
（手順７）手順５により、逆側の点が見つかった後、調整員は、「調整ボタン」を押し、再度逆回転させながら、光軸調整を継続する。このとき、受光部２０から送られてくる受光出力が、手順５で受光部１０が記憶した受光出力の最大値になると、送光部コントローラ１２は、第４のパターンＰ４の点滅を行うように表示灯群１４を制御する。そして、調整員は、第４パターンＰ４の点滅状態になるように光軸調整することで、ピークを検出することができる。
（手順８）調整員は、第４パターンＰ４の状態で、「調整ボタン」を押すことで、調整モードを完了させる。
【０１００】
以上のように、実施の形態２によれば、調整員による光軸調整機構部の操作と連動して、受光出力が低下、維持、上昇する各状態を送光部コントローラによりモニタして識別表示させる。具体的には、受光出力が基準値より低下する光軸の角度（光学台の垂直方向および水平方向の角度）を２点見つけ、その２点の間に受光出力のピークがあるので、それを検出している。
【０１０１】
この場合でも、調整員は、ＬＥＤの表示状態を参照しながら、テスタ等の計器を用いることなく、受光出力がピークとなる位置に合わせるように光軸調整を行うことができる。これにより、光軸調整作業の効率改善を実現できる。特に、受光出力のピークを挟んだ両端において、受光出力が所定値以下となる位置を求めることで、両端間に存在するピーク検出を確実に行うことができる。
【０１０２】
実施の形態３．
本実施の形態３では、受光部２０の増幅率を変化させて、受光出力のピークを検出する処理方法について説明する。なお、ＬＥＤの発光パターンは、先の実施の形態２で説明したものと同一とする。
【０１０３】
図７（ａ）および図７（ｂ）は、本発明の実施の形態３におけるピーク検出処理の説明図である。図７（ａ）、（ｂ）ともに、横軸が光学台の角度、縦軸が受光出力を表している。図７（ａ）は、受光出力を飽和する程度まで増幅させたものであり、受光出力が飽和する光学台の角度は２点ある。その２点の光学台の角度の間に、受光出力が最大になる光学台の角度が必ず存在する。
【０１０４】
図７（ｂ）は、図７（ａ）に比べて受光出力の増幅度を下げたものであり、光学台の角度θのときに、受光出力Ｖｍａｘ（ピーク）があることが表されている。この図７（ａ）、（ｂ）、および上述した６種の点灯／点滅パターンに基づいて、本実施の形態３における調整手順を以下に説明する。
【０１０５】
（手順１）視準孔を用いて、送光部１０および受光部２０の粗調整を実施する（図３におけるステップＳ３１０に相当）。
（手順２）調整員は、「調整ボタン」を押す。これにより、送光部コントローラ１２は、光軸調整モードに切り換え、第１パターンの点灯Ｐ１を行う（図３におけるステップＳ３２０に相当）。
【０１０６】
（手順３）受光部２０側の増幅率を最大に設定する（すなわち、「遠」設定に相当）。
（手順４）調整員は、緑ＬＥＤと赤ＬＥＤが両方同時点滅する第４パターンＰ４の方向（すなわち、受光出力が飽和する方向）に、光軸調整を実施する。
【０１０７】
（手順５）手順４による飽和状態の探索操作中に、受光出力が飽和し、第３パターンＰ３の点滅状態になった場合には、調整員は、「調整ボタン」を押す。これにより、受光部２０は、増幅率を下げるとともに、送光部１０側の発光量も調整し、飽和状態でない適正な受光出力（例えば、１．５Ｖ程度）が得られる状態とする。
【０１０８】
（手順６）手順５により、受光出力が飽和状態でなくなった後、調整員は、第４パターンＰ４の点滅状態になるように光軸調整することで、ピークを検出することができる。
（手順７）調整員は、第４パターンＰ４の状態で、「調整ボタン」を押すことで、調整モードを完了させる。
【０１０９】
以上のように、実施の形態３によれば、調整員による光軸調整機構部の操作と連動して、受光出力が低下、維持、上昇する各状態を送光部コントローラによりモニタして識別表示させる。具体的には、あらかじめ受光部２０の増幅率を高めておき、受光出力が飽和したら、その光軸の角度付近に、受光出力のピークがあるとわかるので、それを検出している。
【０１１０】
この場合でも、調整員は、ＬＥＤの表示状態を参照しながら、テスタ等の計器を用いることなく、受光出力がピークとなる位置に合わせるように光軸調整を行うことができる。これにより、光軸調整作業の効率改善を実現できる。特に、本実施の形態３によれば、受光部２０側の増幅率を最大値から徐々に下げていきながらピークを検出することで、増幅率を適切な値に設定したピーク検出が可能となる。なお、受光部２０の増幅率を高める代わりに、送光部１０の発光量を最大まで高めて受光出力を飽和させてもよい。
【符号の説明】
【０１１１】
１０  送光部、１１  発光素子、１２  送光部コントローラ、１３  信号入力部、１４  表示灯群、１５  スイッチ群、１６  発光量設定部、２０  受光部、２１  受光素子、２２  受光部コントローラ、２３  信号出力部、２４  表示灯群、２５  スイッチ群。
【図１】
2013210761.tif 000003
【図２】
2013210761.tif 000004
【図３】
2013210761.tif 000005
【図４】
2013210761.tif 000006
【図５】
2013210761.tif 000007
【図６】
2013210761.tif 000008
【図７】
2013210761.tif 000009